【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
回転しながら被清掃体上の正規帯電極性に帯電したトナーを静電的に除去するクリーニング部材と、
前記クリーニング部材上の正規帯電極性に帯電したトナーを静電的に自らの表面に移動させて回収する回収部材と、
前記正規帯電極性とは逆極性の電圧を前記クリーニング部材に印加するクリーニング部材電圧印加手段と、
前記正規帯電極性とは逆極性の電圧を前記回収部材に印加する回収部材電圧印加手段と、
回転しながら被清掃体上の正規帯電極性とは逆極性に帯電したトナーを静電的に除去する逆極性トナークリーニング部材と、
前記逆極性トナークリーニング部材上の前記逆極性に帯電したトナーを静電的に自らの表面に移動させて回収する逆極性トナー回収部材と、
前記正規帯電極性の電圧を前記逆極性トナークリーニング部材に印加する逆極性トナークリーニング部材電圧印加手段と、
前記正規帯電極性の電圧を前記逆極性トナー回収部材に印加する逆極性トナー回収部材電圧印加手段とを備えたクリーニング装置において、
前記逆極性トナー回収部材電圧印加手段によって前記逆極性トナー回収部材に印加する電圧を、前記逆極性トナークリーニング部材上の正規帯電極性に帯電したトナーが静電的に前記逆極性トナー回収部材へ移動するような電圧に、紙間、ジョブ前、及び、ジョブ終了時のいずれかのタイミングで変更することを特徴とするクリーニング装置。
【請求項２】
トナー像を担持する像担持体と、
前記像担持体の表面にトナー像を形成するトナー像形成手段と、
前記像担持体の表面に付着している付着物たるトナーを除去するクリーニング手段とを備える画像形成装置において、
前記クリーニング手段として、請求項１のクリーニング装置を用いたことを特徴とする画像形成装置。
【請求項３】
像担持体と、
前記像担持体上にトナー像を形成するトナー像形成手段と、
前記像担持体上に形成されたトナー像を中間転写体上に一次転写する一次転写手段と、
前記中間転写体上に担持したトナー像を記録材に転写する二次転写手段と、
前記中間転写体の表面に付着した付着物たるトナーを除去するクリーニング手段とを備える画像形成装置において、
前記クリーニング手段として、請求項１のクリーニング装置を用いたことを特徴とする画像形成装置。
【手続補正２】
【補正対象書類名】明細書
【補正対象項目名】０００７
【補正方法】変更
【補正の内容】
【０００７】
本発明は以上の問題点に鑑みなされたものであり、その目的は、逆極性トナークリーニング部材にトナーが蓄積されてクリーニング不良が発生するのを抑制できるクリーニング装置及びそのクリーニング装置を備えた画像形成装置を提供することである。
【手続補正３】
【補正対象書類名】明細書
【補正対象項目名】０００８
【補正方法】変更
【補正の内容】
【０００８】
上記目的を達成するために、請求項１の発明は、回転しながら被清掃体上の正規帯電極性に帯電したトナーを静電的に除去するクリーニング部材と、前記クリーニング部材上の正規帯電極性に帯電したトナーを静電的に自らの表面に移動させて回収する回収部材と、前記正規帯電極性とは逆極性の電圧を前記クリーニング部材に印加するクリーニング部材電圧印加手段と、前記正規帯電極性とは逆極性の電圧を前記回収部材に印加する回収部材電圧印加手段と、回転しながら被清掃体上の正規帯電極性とは逆極性に帯電したトナーを静電的に除去する逆極性トナークリーニング部材と、前記逆極性トナークリーニング部材上の前記逆極性に帯電したトナーを静電的に自らの表面に移動させて回収する逆極性トナー回収部材と、前記正規帯電極性の電圧を前記逆極性トナークリーニング部材に印加する逆極性トナークリーニング部材電圧印加手段と、前記正規帯電極性の電圧を前記逆極性トナー回収部材に印加する逆極性トナー回収部材電圧印加手段とを備えたクリーニング装置において、前記逆極性トナー回収部材電圧印加手段によって前記逆極性トナー回収部材に印加する電圧を、前記逆極性トナークリーニング部材上の正規帯電極性に帯電したトナーが静電的に前記逆極性トナー回収部材へ移動するような電圧に、紙間、ジョブ前、及び、ジョブ終了時のいずれかのタイミングで変更することを特徴とするものである。
また、請求項２の発明は、トナー像を担持する像担持体と、前記像担持体の表面にトナー像を形成するトナー像形成手段と、前記像担持体の表面に付着している付着物たるトナーを除去するクリーニング手段とを備える画像形成装置において、前記クリーニング手段として、請求項１のクリーニング装置を用いたことを特徴とするものである。
また、請求項３の発明は、像担持体と、前記像担持体上にトナー像を形成するトナー像形成手段と、前記像担持体上に形成されたトナー像を中間転写体上に一次転写する一次転写手段と、前記中間転写体上に担持したトナー像を記録材に転写する二次転写手段と、前記中間転写体の表面に付着した付着物たるトナーを除去するクリーニング手段とを備える画像形成装置において、前記クリーニング手段として、請求項１のクリーニング装置を用いたことを特徴とするものである。
【手続補正４】
【補正対象書類名】明細書
【補正対象項目名】０００９
【補正方法】変更
【補正の内容】
【０００９】
本発明においては、逆極性トナー回収部材電圧印加手段によって逆極性トナー回収部材に印加する電圧を、逆極性トナークリーニング部材上の正規帯電極性とは逆極性のトナーが逆極性トナー回収部材に移動するような電圧から、逆極性トナークリーニング部材上の正規帯電極性に帯電したトナーが逆極性トナー回収部材に移動するような電圧に紙間、ジョブ前、及び、ジョブ終了時のいずれかのタイミングで変更する。これにより、逆極性トナークリーニング部材上の正規帯電極性に帯電したトナーを、逆極性トナークリーニング部材から逆極性トナー回収部材に移動させて回収することができるので、正規帯電極性に帯電したトナーが逆極性トナークリーニング部材に蓄積されるのを抑制することができる。よって、正規帯電極性に帯電したトナーが逆極性トナークリーニング部材から被清掃体に戻って再付着しクリーニング不良が発生するのを抑制することができる。
【手続補正５】
【補正対象書類名】明細書
【補正対象項目名】００１０
【補正方法】変更
【補正の内容】
【００１０】
以上、本発明によれば、逆極性トナークリーニング部材にトナーが蓄積されてクリーニング不良が発生するのを抑制できるという優れた効果がある。
【手続補正６】
【補正対象書類名】明細書
【補正対象項目名】００８１
【補正方法】変更
【補正の内容】
【００８１】
［参考構成例１］
また、参考構成例として図１（ｅ）に示すように、作像時とは別に画像形成装置の電源をオンした時のイニシャライズ時や所定の通紙枚数ごとに、電源１２４から第二回収ローラ１０７に印加する電圧を切り替えて、第二クリーニングブラシローラ１０６に溜まった正極性のトナーと負極性のトナーとを共に第二回収ローラ１０７で回収する回収モードを設けても良い。
【手続補正７】
【補正対象書類名】明細書
【補正対象項目名】００８３
【補正方法】変更
【補正の内容】
【００８３】
［参考構成例２］
なお、これまで逆帯電トナークリーニング部である第二クリーニング部１００ｂについて本発明の適応について説明したが、正規帯電トナークリーニング部である第一クリーニング部１００ａについても第一クリーニングブラシローラ１０２で正規帯電極性から逆極性に反転するトナーは少ないため影響は少ないが、全く無いわけではないので、第一クリーニング部１００ａに本発明を適応することもできる。
【手続補正８】
【補正対象書類名】明細書
【補正対象項目名】０１５５
【補正方法】変更
【補正の内容】
【０１５５】
以上、本実施形態によれば、回転しながら被清掃体である中間転写ベルト８上の所定極性である正極性に帯電したトナーを静電的に除去するクリーニング部材である第二クリーニングブラシローラ１０６と、第二クリーニングブラシローラ１０６上の正極性に帯電したトナーを静電的に自らの表面に移動させて回収する回収部材である第二回収ローラ１０７と、正極性とは逆極性である負極性の電圧を第二クリーニングブラシローラ１０６に印加するクリーニング部材電圧印加手段であり電源１２３と、負極性の電圧を第二回収ローラ１０７に印加する回収部材電圧印加手段である電源１２４とを備えたクリーニング装置であるベルトクリーニング装置１００において、所定のタイミングで、第二クリーニングブラシローラ１０６上の負極性に帯電したトナーを静電的に第二回収ローラ１０７へ移動させるように電源１２４によって第二回収ローラ１０７に印加される電圧を変更する。所定のタイミングで、第二クリーニングブラシローラ１０６上の負極性に帯電したトナーを静電的に第二回収ローラ１０７へ移動させるように電源１２４によって第二回収ローラ１０７に印加される電圧を変更することで、負極性に帯電したトナーを第二クリーニングブラシローラ１０６から第二回収ローラ１０７に移動させることができる。これにより、負極性に帯電したトナーが第二クリーニングブラシローラ１０６に蓄積されるのを抑制することができる。よって、負極性に帯電したトナーが第二クリーニングブラシローラ１０６から中間転写ベルト８に戻り再付着してクリーニング不良が発生することを抑制することができる。
また、本実施形態によれば、前記所定のタイミングが少なくともジョブ終了時であることで、ジョブ中に第二クリーニングブラシローラ１０６に溜まった負極性のトナーを第二回収ローラ１０７で回収して、第二クリーニングブラシローラ１０６をきれいにすることができる。
また、本実施形態によれば、前記所定のタイミングが少なくとも紙間であることで、連続通紙中に負極性のトナーが第二クリーニングブラシローラ１０６に溜まっていくのを抑制することができる。
また、本実施形態によれば、前記所定のタイミングが少なくともジョブ前であることで、前回のジョブ後からの停止中に第二クリーニングブラシローラ１０６上で正極性から負極性に戻ってしまったトナーを第二回収ローラ１０７で回収することができる。
また、本実施形態によれば、トナー像を担持する像担持体である感光体１と、感光体１の表面にトナー像を形成するトナー像形成手段と、感光体１の表面に付着している付着物たるトナーを除去するクリーニング手段とを備える画像形成装置において、前記クリーニング手段として、本発明を適用したドラムクリーニング装置４を用いたことで、感光体１上のトナーを良好にクリーニングすることができる。これにより、高画質な画像形成を実現することができる。
また、本実施形態によれば、像担持体である感光体１と、感光体１上にトナー像を形成するトナー像形成手段と、感光体１上に形成されたトナー像を中間転写体である中間転写ベルト８上に一次転写する一次転写手段である一次転写ローラ９と、中間転写ベルト８上に担持したトナー像を記録材である記録紙Ｐに転写する二次転写手段である二次転写ローラ１８と、中間転写ベルト８の表面に付着した付着物たるトナーを除去するクリーニング手段とを備える画像形成装置において、前記クリーニング手段として、本発明を適用したベルトクリーニング装置１００を用いたことで、中間転写ベルト８上のトナーを良好にクリーニングすることができる。これにより、高画質な画像形成を実現することができる。